(57)【要約】【課題】  環境を汚染することなしに雨水ますにおけるボウフラの発生を長期間効果的に防止でき、コストも低廉ですむ新規な手段を提供する。【解決手段】  蚊の通過を阻止するのに適当な金網と、雨水ます蓋板の雨水流入口を覆う位置に雨水流入口を利用して上記金網を固定可能にする金網固定手段とよりなる。金網固定手段の代表的な例は、雨水流入孔６に密嵌可能なねじ保持部材８とねじ９の組合せよりなる。【選択図】  図３
0003103607.tif 000002
【実用新案登録請求の範囲】
【請求項１】
蚊の通過を阻止可能な網目間隔を有し雨水ます蓋板表面に密着してその雨水流入口を覆うことができる大きさおよび形状に成形された金網と、雨水ます蓋板の雨水流入口を覆う位置に雨水流入口を利用して上記金網を固定可能にする金網固定手段とよりなる、雨水ます用のボウフラ発生防止具。
【請求項２】
蚊の通過を阻止可能な網目間隔を有し雨水ます蓋板表面に密着してその雨水流入口を覆うことができる大きさおよび形状に成形された金網と雨水ます蓋板の雨水流入口を覆う位置に雨水流入口を利用して上記金網を固定可能にする金網固定手段とよりなり、上記金網固定手段が、雨水流入孔に密嵌可能なねじ保持部材とねじの組合せよりなることを特徴とする雨水ます用のボウフラ発生防止具。
【請求項３】
蚊の通過を阻止可能な網目間隔を有し雨水ます蓋板表面に密着してその雨水流入口を覆うことができる大きさおよび形状に成形された金網と雨水ます蓋板の雨水流入口を覆う位置に雨水流入口を利用して上記金網を固定可能にする金網固定金具とよりなり、上記金網固定金具は、雨水流入孔をまたいで蓋板上に載置可能な大きさを有する平板状の金網連結部、および、該金網連結部と一体の、雨水流入口に押し込んで金網連結部を蓋板に掛止させるための掛止部材よりなり、上記掛止部材はその先端付近に雨水流入孔開口幅よりも広い幅の拡幅部を有するが拡幅部の幅が狭くなるような弾性変形が可能であることにより該変形状態で雨水流入孔に挿通可能であり挿通後は拡幅部が蓋板の底面側雨水流入孔縁部に係合し容易には引抜けない掛止状態になるものであることを特徴とする、雨水ます用のボウフラ発生防止具。
【考案の詳細な説明】
【技術分野】
【０００１】  本考案は、舗装道路の側縁部等に埋設されている雨水ますにおいてボウフラが発生するのを防止する手段に関するものである。
【背景技術】
【０００２】  鋪装道路の両側縁部には、降雨時に路面上の雨水を速やかに下水本管に流し込むためのＵ字側溝や雨水ますが埋設されている。雨水ます方式は、Ｕ字側溝を用いずに雨水ますと呼ばれる直径数十ｃｍの貯槽を適当間隔で道路側縁部に埋設しておき、そこに路面上を流れる雨水を誘導し雨水ます蓋板に設けた雨水流入孔から雨水ますに流入させるものである。雨水ますは下水本管と排水管で連結されており、流入した雨水は逐次下水本管に流れ込むようになっている。Ｕ字側溝よりも路面使用効率がよく、景観上もすぐれているので、都市部の道路では雨水ます方式が採用されるのが普通である。【０００３】  雨水ますには雨水だけでなくゴミや土砂も入り込む。それらがすべて下水本管に流れ込むのを防止するため、雨水ますへの排水管取り付け位置は雨水ます底面よりも１０〜２０ｃｍ程度上にあり、流れ込んだ土砂等を一定量までは雨水ます中に蓄積できるようになっている（蓄積した土砂等は適宜人力により排除する）。【０００４】  雨水ますの構造が上述のようなものであることにより、長期間雨が降らなかった場合を除けば、雨水ます中には土砂だけでなく少量の雨水も溜まっているのが普通である。【０００５】  近年、この雨水が溜まった雨水ます中で多数のボウフラが発生し、それが羽化して飛び立った蚊による被害多発が報告されている。【０００６】  雨水ます中の雨水は地表を洗い流してきたものであるから、ボウフラの餌となる微生物が増殖するのに十分な栄養源を含んでいることが多い。また、雨水ますの中は降雨中以外は水の流れがなく、ボウフラにとって天敵となる小魚類もいない。これらの理由により、雨水ますの中は、ボウフラにとって好適な生育環境になっているのである。【０００７】  雨水ますは道路の両側に数メートルの間隔で設置されるから、都市空間にはかなりの数があることになり、蚊の絶好の繁殖場となっている。従来蚊が繁殖に利用してきた湿地や水溜り等がほとんどない都市部やその近郊においても蚊の大発生が頻発するようになったのはこのためである。【０００８】  雨水ます中のボウフラの駆除手段もしくは発生防止手段としては次のようなものが考えられている。
（１）殺虫剤散布。
（２）雨水ます底部を開放構造にし、溜まった水が地下に浸透するようにする。
（３）雨水流入口から蚊が出入りできないようにする。【０００９】  しかしながら、（１）は効果に持続性がないから頻繁に実施する必要があり、生活環境の汚染防止の観点からも好ましくない。（２）はどこでも長期間確実な地下浸透が期待できるとは限らないという問題点がある一方、浸透がよいと浸透水により形成された地下水脈が成長して大きな空洞となり道路の陥没を招くことがある。（３）としては、雨水流入時以外は雨水流入口を自動的に閉鎖する器具が提案されているが、構造が複雑で高価であり、加えて既設の雨水ますに装着しようとすると蓋板を外して取り付けなければならず、そのための手間がかかるから、広範囲に設置しようとするとコストがかさみ、実用は困難である。
【非特許文献１】  雨水ます防虫装置  ｈｔｔｐ：／／ｗｗｗ．ｋａｎｅｓｏ．ｃｏ．ｊｐ／ｄａｔａ／ｎｅｗ／００７２／ｂｏｔｙｕ．ｈｔｍ
【考案の開示】
【考案が解決しようとする課題】
【００１０】  多くの蚊は、人を刺して不快にさせるばかりか伝染病を媒介することもあるから、蚊の発生防止が人の健康維持の観点から重要な課題であることはいうまでもない。【００１１】  そこで本考案の目的は、環境を汚染することなしに雨水ますにおけるボウフラの発生を長期間効果的に防止でき、コストも低廉ですむ新規な手段を提供することにある。【００１２】  本考案の他の目的は、設置済みの雨水ますそのものには何ら手を加えることなしに簡単に装着可能な可能なボウフラ発生防止具を提供することにある。
【課題を解決するための手段】
【００１３】  本考案は、雨水ます蓋板の雨水流入口を金網で覆うことにより蚊が雨水ます中に入って産卵するのを防止し、併せて、雨水と共に流入したボウフラの卵からボウフラが発生しても羽化した蚊が雨水ますから出られないようにすることを可能にしたもので、そのための金網と、該金網を蓋板の雨水流入口部分に、雨水流入口を利用して固定する手段とからなる。金網を取り付けるのは蓋板の上側表面に限らず下側表面でもよいが、取り付け作業が楽なので上側表面が有利である。
【考案の効果】
【００１４】  本考案のボウフラ発生防止具は、雨水流入口を経由する蚊の出入を阻止する金網を雨水ます蓋板の表面に、通常蓋板の上側から、雨水流入口を利用して固定するようにしたものであり、取り付けに際して設置済み雨水ますの蓋板を外したりか加工したりせずに取り付け可能なように工夫されているから、器具本体が安価であるだけでなく取り付けも簡単であるという特長がある。【００１５】  構造的にも単純ですべて固定部材からなるものであるから、耐久性に優れており、さらに、雨水ますの雨水流入口の形状・寸法に応じて容易に仕様を変えることができ、Ｌ型雨水ますにおけるコンクリート性の屈曲した蓋板や他の雨水ますにおける鉄製の格子状蓋板など、いかなる雨水ます蓋板にも取り付けることができる。ゴミで目詰まりしたときの清掃も容易である。【００１６】  雨水流入口を金網で覆う本考案のボウフラ発生防止具は、蚊だけでなくゴミが雨水ますに入り込むのも防止するから、排水処理場の負荷軽減にも有効なものである。
【考案を実施するための最良の形態】
【００１７】  本考案のボウフラ発生防止具における金網は、雨水の流入を著しく妨げることなしに蚊の通過を阻止するという必要機能を達成する必要上、自ずから限定された範囲の網目間隔の金網から選ばれる。好ましい金網は、直径が約０．４〜約１．０ｍｍの線材からなる目開き１．５ｍｍ程度のものである。使われる環境を考慮すれば、ステンレス鋼など、耐食性に優れた材料からなり、且つ人や車に踏みつけられても容易には変形しない程度の強度を有するものが望ましい。【００１８】  金網は、雨水ます蓋板になるべく密接して固定する必要があり、このため、Ｌ型雨水ますのように雨水流入口付近において蓋板が屈曲している場合は取り付け位置における蓋板形状に合わせて成形する必要がある。金網の縁部は、金網を折り返すか金属板で覆うなどして針金切断端に物が引っかかったり人が怪我をしたりすることがないようにすることが望ましい。【００１９】  典型的な本考案のボウフラ発生防止具において、雨水流入口を覆うように金網を取り付けるための金網固定手段は、雨水流入孔に密嵌可能なねじ保持部材とねじの組合せからなる。【００２０】  最も簡単な形状のねじ保持部材は、雨水流入口にくさびのように打ち込んで密嵌状態にすることができるように作られたおおむね直方体状のブロックである。すなわち、その底面付近は設置対象となる雨水ますの雨水流入口に挿入可能であるが上部に近づくにしたがって幅を増し、上面では雨水流入口の開口幅よりも僅かに（２〜３ｍｍ程度）大きい幅を有する、（鋭角的な先端こそないが）くさび状のものである。素材として硬質ゴム、軟質プラスチック、木材等、硬いがある程度変形可能な材料を用いることにより、雨水流入口にハンマーで打ち込んで容易には抜けないように嵌着させることができる。【００２１】  ねじ保持部材の形状は上記の例に限定されるものではなく、上記例と同様に雨水流入口に密嵌可能なものであればどのようなものでもよいが、嵌合状態において上に位置する面は、後述する金網固定用ねじのねじ込み（または打ち込み）が行われる部分であるから、少なくともねじ込み位置（通常中央）付近は、雨水流入口付近の蓋板表面とほぼ平行になるように成形されることが必要である。【００２２】  ねじ保持部材におけるねじ込み予定位置にはねじ込みを容易にするための下穴またはそれと同効の溝等を設けておいてもよいが、これは必須のものではない。【００２３】  金網固定用のねじは、金網の網目を貫通させた後ねじ保持部材にねじ込むことにより金網をねじ保持部材と結合させ、金網を蓋板表面に密接配置で固定するためのものである。このねじとしては、各種木ねじ、タッピングねじ等が好適である。機械用の、ねじ部全体が等径のねじは、ねじ保持に雌ねじを必要としやや不利であるが、使用は可能である。なお、ねじ溝に似たゆるいらせん溝を表面に有するスクリュー釘も同様に使用することができるので、この明細書ではスクリュー釘を含む意味でねじといい、スクリュー釘の打ち込みを含む意味でねじ込みという。【００２４】  本考案のボウフラ発生防止具の別の例は、金網固定手段として、雨水流入口に掛止させるねじ保持金具を使用するものである。【００２５】  このねじ保持金具は、雨水ますの蓋板上に雨水流入孔をまたいで載置可能な大きさを有する実質的に平板状の金網連結部、および、該金網連結部と一体の、雨水流入口に押し込んで金網連結部を蓋板に掛止させるための掛止部材よりなる。【００２６】  金網連結部は、前出の例のねじ保持部材の上部と同様に金網固定用ねじがねじ込まれる箇所であり、中央にねじ込みのための下穴がある。【００２７】  掛止部材は、後記拡幅部を除き雨水流入口開口幅よりも狭い幅のものである。掛止部材を雨水流入口に押し込み金網連結部を蓋板に押しつけた状態にしたとき、蓋板の底面側に突き出す部分に幅が最大となる拡幅部があるが、拡幅部の幅が狭くなるような弾性変形が可能であることにより、該変形状態にして雨水流入孔に押し込むことができる。挿通後は拡幅部が雨水流入口の開口幅よりも広幅な状態に復元して底面側雨水流入孔縁部に係合し、容易には引抜けない掛止状態を形成するようになっている。掛止状態にした後の金網固定は、金網の網目を貫通させたねじを金網連結部のねじ下穴にねじ込むことにより行う。使用するねじは、前出の例におけるものと同様のものでよい。
【実施例１】
【００２８】  図１は、本考案の一実施例であるボウフラ発生防止具１を標準的なＬ型雨水ます２の蓋板３に装着した状態を示す。【００２９】  ボウフラ発生防止具１付き蓋板３の部分を拡大して示した図２および図３に現れているように、ボウフラ発生防止具１の金網部分４は蚊の通過を阻止するのに適した網目のステンレス製金網５を雨水流入口６の周辺の蓋板形状に合わせて成形しさらにその縁部をステンレス鋼の薄板７で被覆したものである。【００３０】  金網部分４は、細長いスリット状の雨水流入口６に嵌入した硬質ゴム製のくさび状ねじ保持部材８とねじ９により一体化されている。ねじ保持部材８が密嵌状態であることにより、金網部分４も容易には蓋板３から離れない状態になっている。金網と蓋板３との間に隙間はほとんどなく、蚊の出入を許すことはない。金網部分４の固定は上記２個のねじ保持部材８を用いるねじ止めで足りるので、切り欠き状の雨水流入口１０は金網で覆うだけである。降雨時の雨水は金網を通って雨水流入口６，１０に入るようになるが、雨水ます２の基本的な機能に変化はない。【００３１】  取り付けは、最初に２個のねじ保持部材８を雨水流入口６にハンマーで打ち込んで密嵌状態にし、次いで二つの雨水流入口６，１０を覆うように金網部分４を配置し、ねじ保持部材８の真上の部分にある金網５の網目の一つを適当な金具で広げてねじを通せるようにし、さらにその直下のねじ保持部材８にドリルでねじ下穴をあけ、広げられた網目をとおしてねじをねじ込むことにより金網部分４を固定したものである。【００３２】  この例におけるねじ保持部材８は直方体に近い単純なもので、ねじの下穴も取り付け時にあけているが、ねじ保持部材としてはほかにも多くのものが使用可能である。たとえば、平面形状が方形のもの以外にも円形もしくは楕円形のもの、頂部周辺につば状張り出し部分を設けて過度の嵌入を防止したもの、密嵌状態の形成を容易かつ確実にするために周辺部（雨水流入口６壁面に接する部分）にリブや凹凸を設けたり頂部を凹面にしたりしたもの、あらかじめ１または複数のねじ下穴を頂部に設けたもの、その他任意の付加的工夫を加えたものが使用可能である。
【実施例２】
【００３３】  図４，５は、請求項３に記載した本考案の一具体例を実施例１の場合と同じＬ型雨水ますの蓋板３に装着した状態で示したものである。【００３４】  ねじ保持金具１１は、帯状の薄い鋼板を折曲げ加工しさらに焼き入れ加工して作られた一体構造のものであるが、機能的には、雨水流入孔をまたいで蓋板３上に載置される平板状の金網連結部１２と、雨水流入口６に挿通される掛止部材１３とからなる（上記二つの部分は別個に成形されたのち合体されたものでも差し支えない）。【００３５】  金網連結部１２の中央には、金網部分４固定用のねじ１４をねじ込むための下穴があらかじめ設けてある。【００３６】  ねじ保持金具１１は全体がピンセントのような形をしているから、二股に分かれた掛止部材１３の部分の開脚幅Ｗを変える弾性変形が可能である。したがって、その先端付近に幅Ｗが雨水流入口６の開口幅Ｄよりも大きい拡幅部１５があるにもかかわらず、幅Ｗが狭くなるように変形させて、拡幅部１５を雨水流入口６の壁面に摺動させながら雨水流入口６に押し込むことができる。金網連結部１２が蓋板３に接するまで掛止部材１３が押し込まれたとき拡幅部１５が雨水流入口６の下側空間に突き出し、広幅な状態に復元して底面側雨水流入孔縁部１６に係合するように各部寸法を選定しておけば、図示したような容易には引抜けない掛止状態を形成させることができる。【００３７】  このあと必要に応じて拡幅した金網５の網目を通して金網連結部１２のねじ下穴にねじ１４をねじ込めば、図示した金網固定状態となる。
【産業上の利用可能性】
【００３８】  本考案のボウフラ発生防止具は安価に製作できるだけでなく取り付け費用も僅かですむから、膨大な数の雨水ますがある大都市およびその近郊の雨水ますに全面的に装着して蚊の発生を効果的に防止し、都市環境を改善するのにきわめて有用なものである。
【図面の簡単な説明】
【００３９】
【図１】  本考案の一実施例の使用状態を示す側面図（但し雨水ますは蓋板３以外は切断端面図）である。
【図２】  図１の蓋板３部分の平面図である。
【図３】  図２のＡ−Ａ部断面図である。
【図４】  本考案の別の実施例を取り付けた雨水ます蓋板の平面図である。
【図５】  図４のＡ−Ａ部断面図である。
【符号の説明】
【００４０】１：ボウフラ発生防止具
２：雨水ます
３：蓋板
４：金網部分
５：金網
６：雨水流入口
７：ステンレス鋼薄板
８：ねじ保持部材
９，１４：ねじ
１１：ねじ保持金具
１２：金網連結部
１３：掛止部材
１５：拡幅部
【図１】
0003103607.tif 000003
【図２】
0003103607.tif 000004
【図３】
0003103607.tif 000005
【図４】
0003103607.tif 000006
【図５】
0003103607.tif 000007